(57)【要約】【課題】付属装置電力供給機能を含む外科手術用器具の提供。  【解決手段】外科手術用器具であって、外科手術用器具は、筐体と、筐体から延びるシャフトと、シャフトに動作可能に結合されたツールアセンブリとを含む外科手術用器具と、外科手術用器具に動作可能に結合された付属装置と、付属装置が該外科手術用器具に動作可能に結合された場合に付属装置に動作可能に結合されるエネルギーデバイスであって、エネルギーデバイスは、付属装置に電力供給する、エネルギーデバイスとを含む、外科手術用器具システム。  【選択図】図１
2012101077.tif 000002
【特許請求の範囲】
【請求項１】
外科手術用器具であって、該外科手術用器具は、
筐体と、該筐体から延びるシャフトと、該シャフトに動作可能に結合されたツールアセンブリとを含む外科手術用器具と、
該外科手術用器具に動作可能に結合された付属装置と、
該付属装置が該外科手術用器具に動作可能に結合された場合に該付属装置に動作可能に結合されるエネルギーデバイスであって、該エネルギーデバイスは、該付属装置に電力供給する、エネルギーデバイスと
を含む、外科手術用器具システム。
【請求項２】
前記付属装置は、少なくとも１つのコンタクトを含み、前記外科手術用器具は、少なくとも１つのコンタクトを含み、前記エネルギーデバイスは、該コンタクトのうちの少なくとも１つに動作可能に結合され、該エネルギーデバイスは、該少なくとも１つの付属装置のコンタクトと該少なくとも１つの外科手術用器具のコンタクトとが接触している場合に該付属装置に電力を送達する、請求項１に記載の外科手術用器具システム。
【請求項３】
前記少なくとも１つの外科手術用器具のコンタクトは、少なくとも１つのスリップリングを含み、該少なくとも１つのスリップリングは、前記エネルギーデバイスに電気的に結合されている、請求項２に記載の外科手術用器具システム。
【請求項４】
前記付属装置は、それを通るチャンネルを規定し、該チャンネルは、該付属装置が前記外科手術用器具に動作可能に結合された場合に、前記シャフトの少なくとも一部を収納するように構成および寸法付けされている、請求項１〜３のいずれか一項に記載の外科手術用器具システム。
【請求項５】
前記少なくとも１つの外科手術用器具のコンタクトは、前記シャフトに位置づけされている、請求項２〜４のいずれか一項に記載の外科手術用器具システム。
【請求項６】
前記少なくとも１つの付属装置のコンタクトは、前記チャンネル内に位置づけされ、前記付属装置が前記シャフトに位置づけされた場合に、該付属装置が前記エネルギーデバイスに電気的に結合されるように少なくとも２つのコンタクトが係合される、請求項４または５のいずれか一項に記載の外科手術用器具システム。
【請求項７】
前記エネルギーデバイスは、前記外科手術用器具内に取り外し可能に位置づけ可能なエネルギー貯留デバイスを含む、請求項１〜６のいずれか一項に記載の外科手術用器具システム。
【請求項８】
前記エネルギー貯留デバイスは、前記外科手術用器具の筐体内に位置づけ可能である、請求項７に記載の外科手術用器具システム。
【請求項９】
前記付属装置は、カメラおよび照明デバイスのうちの少なくとも１つを含む、請求項１〜８のいずれか一項に記載の外科手術用器具システム。
【請求項１０】
前記筐体、前記シャフト、および前記ツールアセンブリのうちの少なくとも１つに動作可能に結合された器具電力供給デバイスをさらに含み、該器具電力供給デバイスは、前記付属装置および前記器具に電力供給する、請求項１〜９のいずれか一項に記載の外科手術用器具システム。
【請求項１１】
前記筐体、前記シャフト、および前記ツールアセンブリのうちの少なくとも１つに動作可能に結合された器具電力供給デバイスをさらに含み、該器具電力供給デバイスは、前記外科手術用器具のみに電力供給するように構成および寸法付けされている、請求項１〜９のいずれか一項に記載の外科手術用器具システム。
【請求項１２】
前記器具電力供給デバイスは、外部ジェネレータに動作可能に結合されている、請求項１０〜１１のいずれか一項に記載の外科手術用器具システム。
【請求項１３】
前記付属装置は、前記外科手術用器具によって実行される動作と異なる動作を実行するように、または該外科手術用器具によって実行される動作を補う動作を実行するように適合および寸法付けされている、請求項１〜１２のいずれか一項に記載の外科手術用器具システム。
【請求項１４】
前記エネルギーデバイスはバッテリーを含む、請求項１〜１３のいずれか一項に記載の外科手術用器具システム。
【発明の詳細な説明】
【技術分野】
【０００１】
本出願は、２０１０年１１月１０日に出願された仮出願第６１／４１２，１４０号に対して優先権を主張し、先の出願の全内容は参照によって本明細書に援用される。
【０００２】
（技術分野）
本出願は、外科手術用器具に関し、さらに詳細には、外科手術用器具の付属装置との使用のためのエネルギー源に関する。
【背景技術】
【０００３】
（関連分野の背景）
典型的な外科手術は、複数の異なる外科手術用器具と、様々な外科手術用器具との使用のための付属デバイスとを使用する。付属デバイス（例えば、照明デバイスまたはカメラ）を取り付ける場合、付属デバイスのエネルギー需要を満たす必要性がしばしばある。バッテリーのような自己内蔵型エネルギー源がしばしば使用されるが、これらは付属デバイスにおける貴重な空間を使用し得、これにより付属装置の寸法を増大し、最小侵襲外科手術において不利益である。その上、このようなエネルギー源は、しばしば制限されたエネルギー貯留容量を有する。このため、バッテリーまたは他のエネルギー貯留デバイスを交換するために付属装置の取り外しまたは再配置が必要であり得、外科手術中または他の医療処置中に要求される場合に効率を低減し、外科手術の時間および複雑さを増加し得る。
【発明の概要】
【課題を解決するための手段】
【０００４】
従って、本開示は、１つの局面において外科手術用器具、付属装置、およびエネルギーデバイスを含む外科手術用器具システムに向けられる。外科手術用器具は、筐体と、筐体から延びるシャフトと、シャフトに動作可能に結合されたツールアセンブリとを含む。付属装置は、外科手術用器具に動作可能に結合される。エネルギーデバイスは、付属装置が外科手術用器具に操作可能に結合された場合に、付属装置に動作可能に結合され、エネルギーデバイスは付属装置に電力供給する。
【０００５】
筐体、シャフト、およびツールアセンブリのうちの１つ以上に動作可能に結合された器具電力供給デバイスが一部の実施形態において提供され得る。器具電力供給デバイスは、外科手術用器具に電力供給するように構成および寸法付けされ得る。一部の実施形態において、器具電力供給デバイスは、ツールアセンブリのみに電力供給するように構成および寸法付けされている。
【０００６】
外科手術用器具は１つ以上のコンタクトを含み得る。１つ以上のコンタクトはシャフト上に位置づけされ得る。一部の実施形態において、外科手術用器具の１つ以上のコンタクトは、エネルギーデバイスに電気的に結合される１つ以上のスリップリングを含む。
【０００７】
付属装置は、カメラおよび照明デバイスのうちの１つ以上を含み得る。付属装置は、一部の実施形態において、それを通るチャンネルおよび１つ以上のコンタクトを規定する。チャンネルは、一部の実施形態において、付属装置が外科手術用器具に動作可能に結合された場合にシャフトの少なくとも一部を収容するように構成および寸法付けされている。１つ以上のコンタクトがチャンネル内に位置づけされ得、付属装置がシャフトに位置づけされ、１つ以上のコンタクトがシャフトに位置づけされている場合、付属装置がエネルギーデバイスに電気的に結合されるように２つ以上のコンタクトが係合される。
【０００８】
一部の実施形態において、エネルギーデバイスは、付属装置のコンタクトの１つ以上に動作可能に結合され、エネルギーデバイスは、付属装置の１つ以上のコンタクトと外科手術用器具の１つ以上のコンタクトとが接触している場合に、付属装置に電力を送達する。一部の実施形態において、エネルギーデバイスは、外科手術用器具内に取り外し可能に位置づけ可能なエネルギー貯留デバイスを含む。エネルギー貯留デバイスは、外科手術用器具の筐体内に位置づけ可能であり得る。一部の実施形態において、エネルギー貯留デバイスは、バッテリーである。
【０００９】
別の局面において、本開示は、筐体と、筐体から延びるシャフトと、シャフトに動作可能に結合されたツールアセンブリと、筐体、シャフト、およびツールアセンブリのうちの少なくとも１つに動作可能に結合された器具電力供給デバイスとを有する外科手術用器具を含む外科手術用器具システムを提供する。器具電力供給デバイスは、外科手術用器具のみに電力供給するように構成および寸法付けされている。付属装置は、外科手術用器具に動作可能に結合可能であり、付属装置が外科手術用器具に動作可能に結合された場合に、器具電力供給デバイスに動作可能に結合され、器具電力供給デバイスは付属装置に電力供給する。
【００１０】
一部の実施形態において、付属装置は、少なくとも１つのコンタクトを含み、器具は、少なくとも１つのコンタクトを含み、少なくとも１つの付属装置のコンタクトと、少なくとも１つの外科手術用器具のコンタクトとが、付属装置が器具に結合された場合に接触している。一部の実施形態において、少なくとも１つの外科手術用器具のコンタクトが外科手術用器具のシャフトに位置づけされている。
【００１１】
別の局面において、本開示は、外科手術用器具との使用のための付属装置を提供する。付属装置は、外科手術用器具によって実行される動作と異なる、または外科手術用器具によって実行される動作を補う動作を実行するように適合および寸法付けされている。外科手術用器具は、第一のエネルギー源と、少なくとも１つの電気コンタクトとを有する。第一のエネルギー源は、付属装置に電力を提供する。付属装置は、第一のエネルギー源に付属装置を電気的に結合するために、少なくとも１つの外科手術用器具の電気コンタクトと係合するように適合および寸法付けされた少なくとも１つの電気コンタクトを含む。
【００１２】
第二のエネルギー源が、外科手術用器具に電力供給するために提供され得る。一部の実施形態において、第二のエネルギー源は、外科手術用器具にのみ電力を提供する。一部の実施形態において、第一のエネルギー源は、付属装置のみに電力を提供する。
【００１３】
本発明は例えば以下を提供する。
（項目１）  外科手術用器具であって、該外科手術用器具は、
筐体と、該筐体から延びるシャフトと、該シャフトに動作可能に結合されたツールアセンブリとを含む外科手術用器具と、
該外科手術用器具に動作可能に結合された付属装置と、
該付属装置が該外科手術用器具に動作可能に結合された場合に該付属装置に動作可能に結合されるエネルギーデバイスであって、該エネルギーデバイスは、該付属装置に電力供給する、エネルギーデバイスと
を含む、外科手術用器具システム。
（項目２）  上記付属装置は、少なくとも１つのコンタクトを含み、上記外科手術用器具は、少なくとも１つのコンタクトを含み、上記エネルギーデバイスは、該コンタクトのうちの少なくとも１つに動作可能に結合され、該エネルギーデバイスは、該少なくとも１つの付属装置のコンタクトと該少なくとも１つの外科手術用器具のコンタクトとが接触している場合に該付属装置に電力を送達する、上記項目に記載の外科手術用器具システム。
（項目３）  上記少なくとも１つの外科手術用器具のコンタクトは、少なくとも１つのスリップリングを含み、該少なくとも１つのスリップリングは、上記エネルギーデバイスに電気的に結合されている、上記項目のいずれか一項に記載の外科手術用器具システム。
（項目４）  上記付属装置は、それを通るチャンネルを規定し、該チャンネルは、該付属装置が上記外科手術用器具に動作可能に結合された場合に、上記シャフトの少なくとも一部を収納するように構成および寸法付けされている、上記項目のいずれか一項に記載の外科手術用器具システム。
（項目５）  上記少なくとも１つの外科手術用器具のコンタクトは、上記シャフトに位置づけされ、上記少なくとも１つの付属装置のコンタクトは、上記チャンネル内に位置づけされ、上記付属装置が該シャフトに位置づけされた場合に、該付属装置が上記エネルギーデバイスに電気的に結合されるように少なくとも２つのコンタクトが係合される、上記項目のいずれか一項に記載の外科手術用器具システム。
（項目６）  上記エネルギーデバイスは、上記外科手術用器具内に取り外し可能に位置づけ可能なエネルギー貯留デバイスを含む、上記項目のいずれか一項に記載の外科手術用器具システム。
（項目７）  上記エネルギー貯留デバイスはバッテリーを含む、上記項目のいずれか一項に記載の外科手術用器具システム。
（項目８）  上記エネルギー貯留デバイスは、上記外科手術用器具の筐体内に位置づけ可能である、上記項目のいずれか一項に記載の外科手術用器具システム。
（項目９）  上記付属装置は、カメラおよび照明デバイスのうちの少なくとも１つを含む、上記項目のいずれか一項に記載の外科手術用器具システム。
（項目１０）  上記筐体、上記シャフト、および上記ツールアセンブリのうちの少なくとも１つに動作可能に結合された器具電力供給デバイスをさらに含む、上記項目のいずれか一項に記載の外科手術用器具システム。
（項目１１）  上記器具電力供給デバイスは、上記外科手術用器具のみに電力供給するように構成および寸法付けされている、上記項目のいずれか一項に記載の外科手術用器具システム。
（項目１２）  上記器具電力供給デバイスは、外部ジェネレータに動作可能に結合されている、上記項目のいずれか一項に記載の外科手術用器具システム。
（項目１３）  筐体と、
該筐体から延びるシャフトと、
該シャフトに動作可能に結合されたツールアセンブリとを含む外科手術用器具と、
該筐体、該シャフト、および該ツールアセンブリのうちの少なくとも１つに動作可能に結合された器具電力供給デバイスであって、該器具電力供給デバイスは、該外科手術用器具のみに電力供給するように構成および寸法付けされている、器具電力供給デバイスと、
該外科手術用器具に動作可能に結合可能な付属装置であって、該付属装置は、該付属装置が該外科手術用器具に動作可能に結合されたときに、該器具電力供給デバイスに動作可能に結合され、該器具電力供給デバイスは、該付属装置に電力供給する、付属装置と
を含む、外科手術用器具システム。
（項目１４）  上記付属装置は、少なくとも１つのコンタクトを含み、上記器具は、少なくとも１つのコンタクトを含み、該少なくとも１つの付属装置のコンタクトと該少なくとも１つの外科手術用器具のコンタクトとが、該付属装置が該器具に結合された場合に接触している、上記項目に記載の外科手術用器具システム。
（項目１５）  上記少なくとも１つの外科手術用器具のコンタクトが、上記外科手術用器具のシャフトに位置づけされている、上記項目のいずれか一項に記載の外科手術用器具システム。
（項目１６）  外科手術用器具との使用のための付属装置であって、該外科手術用器具は、第一のエネルギー源と、少なくとも１つの電気コンタクトとを有し、該第一のエネルギー源は、該付属装置に電力を提供し、該付属装置は、少なくとも１つの電気コンタクトを含み、該少なくとも１つの該付属装置の電気コンタクトは、該付属装置を該第一のエネルギー源に電気的に結合するために、該少なくとも１つの外科手術用器具の電気コンタクトを係合するように適合および寸法付けされ、該第一のエネルギー源は、該付属装置に電力を提供し、該付属装置は、該外科手術用器具によって実行される動作と異なる動作を実行するように、または該外科手術用器具によって実行される動作を補う動作を実行するように適合および寸法付けされている、
付属装置。
（項目１７）  上記外科手術用器具は、第二のエネルギー源を含み、該第二のエネルギー源は、該外科手術用器具に電力を提供する、上記項目に記載の付属装置。
（項目１８）  上記第一のエネルギー源は、上記付属装置のみに電力を提供する、上記項目のいずれか一項に記載の付属装置。
（項目１９）  上記第二のエネルギー源は、上記外科手術用器具のみに電力を提供する、上記項目のいずれか一項に記載の付属装置。
（項目１Ａ）  外科手術用器具であって、該外科手術用器具は、
筐体と、該筐体から延びるシャフトと、該シャフトに動作可能に結合されたツールアセンブリとを含む外科手術用器具と、
該外科手術用器具に動作可能に結合された付属装置と、
該付属装置が該外科手術用器具に動作可能に結合された場合に該付属装置に動作可能に結合されるエネルギーデバイスであって、該エネルギーデバイスは、該付属装置に電力供給する、エネルギーデバイスと
を含む、外科手術用器具システム。
（項目２Ａ）  上記付属装置は、少なくとも１つのコンタクトを含み、上記外科手術用器具は、少なくとも１つのコンタクトを含み、上記エネルギーデバイスは、該コンタクトのうちの少なくとも１つに動作可能に結合され、該エネルギーデバイスは、該少なくとも１つの付属装置のコンタクトと該少なくとも１つの外科手術用器具のコンタクトとが接触している場合に該付属装置に電力を送達する、上記項目に記載の外科手術用器具システム。
（項目３Ａ）  上記少なくとも１つの外科手術用器具のコンタクトは、少なくとも１つのスリップリングを含み、該少なくとも１つのスリップリングは、上記エネルギーデバイスに電気的に結合されている、上記項目のいずれか一項に記載の外科手術用器具システム。
（項目４Ａ）  上記付属装置は、それを通るチャンネルを規定し、該チャンネルは、該付属装置が上記外科手術用器具に動作可能に結合された場合に、上記シャフトの少なくとも一部を収納するように構成および寸法付けされている、上記項目のいずれか一項に記載の外科手術用器具システム。
（項目５Ａ）  上記少なくとも１つの外科手術用器具のコンタクトは、上記シャフトに位置づけされている、上記項目のいずれか一項に記載の外科手術用器具システム。
（項目６Ａ）  上記少なくとも１つの付属装置のコンタクトは、上記チャンネル内に位置づけされ、上記付属装置が上記シャフトに位置づけされた場合に、該付属装置が上記エネルギーデバイスに電気的に結合されるように少なくとも２つのコンタクトが係合される、上記項目のいずれか一項に記載の外科手術用器具システム。
（項目７Ａ）  上記エネルギーデバイスは、上記外科手術用器具内に取り外し可能に位置づけ可能なエネルギー貯留デバイスを含む、上記項目のいずれか一項に記載の外科手術用器具システム。
（項目８Ａ）  上記エネルギー貯留デバイスは、上記外科手術用器具の筐体内に位置づけ可能である、上記項目のいずれか一項に記載の外科手術用器具システム。
（項目９Ａ）  上記付属装置は、カメラおよび照明デバイスのうちの少なくとも１つを含む、上記項目のいずれか一項に記載の外科手術用器具システム。
（項目１０Ａ）  上記筐体、上記シャフト、および上記ツールアセンブリのうちの少なくとも１つに動作可能に結合された器具電力供給デバイスをさらに含み、該器具電力供給デバイスは、上記付属装置および上記器具に電力供給する、上記項目のいずれか一項に記載の外科手術用器具システム。
（項目１１Ａ）  上記筐体、上記シャフト、および上記ツールアセンブリのうちの少なくとも１つに動作可能に結合された器具電力供給デバイスをさらに含み、該器具電力供給デバイスは、上記外科手術用器具のみに電力供給するように構成および寸法付けされている、上記項目のいずれか一項に記載の外科手術用器具システム。
（項目１２Ａ）  上記器具電力供給デバイスは、外部ジェネレータに動作可能に結合されている、上記項目のいずれか一項に記載の外科手術用器具システム。
（項目１３Ａ）  上記付属装置は、上記外科手術用器具によって実行される動作と異なる動作を実行するように、または該外科手術用器具によって実行される動作を補う動作を実行するように適合および寸法付けされている、上記項目のいずれか一項に記載の外科手術用器具システム。
（項目１４Ａ）  上記エネルギーデバイスはバッテリーを含む、上記項目のいずれか一項に記載の外科手術用器具システム。
【００１４】
（摘要）
外科手術用器具システムは、外科手術用器具、付属装置、およびエネルギーデバイスを含む。外科手術用器具は、筐体と、筐体から延びるシャフトと、シャフトに動作可能に結合されたツールアセンブリとを有する。付属装置は、外科手術用器具に選択的に結合可能である。エネルギーデバイスは、付属装置が外科手術用器具に結合された場合に付属装置に動作可能に結合され、エネルギーデバイスは、付属装置に電力供給する。
【００１５】
本開示の様々な実施形態は、図面への参照と共に本明細書において記述されている。
【図面の簡単な説明】
【００１６】
【図１】図１は、本開示に従った外科手術用器具システムの１つの実施形態の斜視図である。
【図１Ａ】図１Ａは、外科手術用器具システムの別の実施形態の斜視図である。
【図２】図２は、図１の外科手術用器具システムの遠位部の、部品が分離された部分斜視図である。
【発明を実施するための形態】
【００１７】
開示されている外科手術用器具の実施形態が図面への参照と共に詳細に記述され、同様な参照番号は、いくつかの図面のそれぞれにおける同様または同一要素を指定する。続く図面および記述において、「近位」という用語は、ユーザにより近い外科手術用器具の端を指すのに対し、「遠位」という用語は、ユーザからより離れた外科手術機用器具の端を指す。
【００１８】
ここで図面を参照すると、図１は、外科手術用器具システム１００の１つの実施形態を描写する。描写されている外科手術用器具は外科手術用グラスパであり、内視鏡鋏、クリップアプライヤ、外科手術用ステープラーなどのような他の外科手術用器具が使用され得ることが理解される。外科手術用器具システム１００は、外科手術用器具１１０、付属装置１２０、およびエネルギーデバイス１３０を含む。付属装置１２０は、外部コード型電源装置、または以下に記述されるような、器具のコンタクトに内部でワイヤ接続された内部電源装置によって電力供給され得る。
【００１９】
外科手術用器具１１０は、筐体１１２と、筐体１１２から遠位に延びるシャフト１１４と、シャフト１１４の遠位端部のツールアセンブリ１１６とを含む。
【００２０】
外科手術用器具１１０は、１つ以上のコンタクト１１５を含む。描写されている実施形態において、２つのリングコンタクト１１５が例として示されている。コンタクト１１５は、シャフト１１４に位置づけされ得る。コンタクト１１５は、コンタクトボタン、スリップリング、または任意の他の適切な接続を含み得る。コンタクト１１５は、エネルギー貯留デバイス１３０に（例えば、コンタクト１１５とエネルギー貯留デバイス１３０との間を（シャフト１１４を通って）延びる１つ以上のワイヤを介して、および／またはワイヤレス接続を介して）電気的に結合され、エネルギーデバイス１３０は、コンタクト１１５に電力を送達する。コンタクト１１５は、付属装置１２０のコンタクト１２４によって係合される（図２）。この態様において、電力は、エネルギーデバイス１３０からコンタクト１１５および１２４を介して付属装置１２０に送達される。
【００２１】
ここで図２を参照すると、付属装置１２０は、外科手術用器具１１０に装着可能であり、好ましくは取り外し可能に装着可能である。付属装置１２０は、それを通るチャンネル１２２を規定し、１つ以上のコンタクト１２４を含む。チャンネル１２２は、付属装置１２０が外科手術用器具１１０に選択的に動作可能に結合された場合に、シャフト１１４の少なくとも一部を収納するように構成および寸法付けされている。従って、付属装置は、シャフト１１４に摩擦係合し得る。あるいは、付属装置は、スナップ嵌め、インターロック構造、または他の方法によってシャフトに取り付けられ得る。コンタクト１２４は、チャンネル１２２内に位置づけされ得、付属装置１２０がコンタクト１１５に隣接してシャフト１１４に位置づけされた場合に、付属装置１２０がエネルギーデバイス１３０に電気的に結合されるように２つ以上のコンタクト（すなわち、少なくとも１つのコンタクト１１５、および少なくとも１つのコンタクト１２４）が係合される。特に、コンタクト１２４は、任意の適切な電気的または電気機械的機能を介してエネルギーデバイス１３０に動作可能に結合され得る。例えば、有線またはワイヤレス接続を含み得るこれらの機能は、誘導性コンポーネント、容量性コンポーネント、抵抗コンポーネント、スイッチングコンポーネントなどを有し得、付属装置１２０がエネルギーデバイス１３０によって電力供給され得るように付属装置１２０と外科手術用器具１１０との間の接続を容易にする。さらにコンタクト１２４は、コンタクトボタン、スリップリング、または任意の他の適切な接続コンポーネントを含み得る。付属装置１２０は、カメラ、照明デバイス、または医療処置を実行することにおいて医師を補助し得る任意の他の適切な電力供給されたデバイスを含む１つ以上の電力供給されたデバイス１２６を含み得る。その結果、付属装置デバイスは、より小型（すなわち、エネルギー貯留デバイスが器具の一部であり、付属装置でないため、より減じたプロフィールを有する）であり得る。
【００２２】
エネルギーデバイス１３０は、付属装置１２０に動作可能に、または電気的に結合され、付属装置１２０が外科手術用器具１１０に動作可能に結合されている場合に、エネルギーデバイス１３０は付属装置１２０に電力供給する。一部の実施形態において、エネルギーデバイス１３０は、付属装置のみに電力供給する。エネルギーデバイス１３０は、付属装置１２０のコンタクト１２４の１つ以上に動作可能に、または電気的に結合される。エネルギーデバイス１３０は、付属装置１２０の１つ以上のコンタクト１２４と外科手術用器具１１０の１つ以上のコンタクト１１５が接触している場合に電力を付属装置１２０に送達する。エネルギーデバイス１３０は、バッテリー、充電式バッテリー、または任意の他の適切な自己内蔵型電気エネルギー源であり得るエネルギー貯留デバイス１３０ａを含む。エネルギー貯留デバイス１３０ａは、外科手術用器具１１０内に取り外し可能に位置づけされ得、エネルギー貯留デバイス１３０ａは、取り除かれ充電され得るか、または取り除かれ別のエネルギー貯留デバイスに交換され得る。図１で示されたように、エネルギー貯留デバイス１３０ａは、筐体１１２内に位置づけ可能であり得、さらに詳細には、外科手術用器具１１０のハンドル内に位置づけされ得る。器具の他の位置に位置づけすること、ならびに器具の外に位置づけすることも企図される。
【００２３】
付属装置に対する電気エネルギー源が本明細書において開示されるが、流体動力源のような他のエネルギー源も企図される。
【００２４】
図１Ａの代替の実施形態において、外科手術用器具１００’は、筐体１１２’、シャフト１１４’、およびツールアセンブリ１１６’のうちの１つ以上に動作可能に結合された器具電力供給デバイス１１８を含む。器具電力供給デバイス１１８は、外科手術用器具１１０’に電力供給するように構成および寸法付けされている。器具電力供給デバイス１１８は、器具電力供給デバイス１１８を介した電気エネルギーまたは電気機械エネルギーの受け取りおよび／または通過のための、コンセントおよび／またはジェネレータ、または任意の他の適切な電源を係合するように適合された電気接続であり得る。一部の実施形態において、器具電力供給デバイス１１８は、外科手術用器具のみに電力供給するように構成および寸法付けされている。一部の実施形態において、器具電力供給デバイス１１８は、ツールアセンブリ１１６’のみに電力供給する。
【００２５】
器具１００’は、ハンドル１１２’に位置づけされた、図１のエネルギーデバイス１３０と同様なエネルギーデバイス１３０’を含む。エネルギーデバイス１３０’は、代替に、器具の他の位置に位置づけされ得る。一部の実施形態において、電力供給デバイス１１８が外科手術用器具（例えば、顎１１６’）に電力を供給し、エネルギー貯留デバイスが付属装置に電力を供給する。他の実施形態において、電力供給デバイスが外科手術用器具および付属装置に電力供給し、エネルギー貯留デバイスは、付属装置に非常用電力を供給する。電力供給デバイスは、器具に対する唯一の電力源であり得る。
【００２６】
器具１００’は、図２の付属装置１２０に電気コンタクトを提供するために、図１のコンタクト１１５と同一の、筐体１１０’から延びるシャフト１１４’上のコンタクト１１５’を有する。
【００２７】
本開示のいくつかの実施形態が図面で示され、および／または本明細書において論じられるが、本開示は、当該分野が許す限り範囲が広く、明細書が同様に読まれることが意図されるため、本開示はこれらの図面および／または記述に制限されることが意図されていない。従って、上記の記述は、特定の実施形態の単なる例示として解釈されるものであり、制限的に解釈されるべきでない。当業者は、本明細書に添付の特許請求の範囲および精神内で他の改変を想起する。
【符号の説明】
【００２８】
１１０  外科手術用器具  
１１２  筐体
１１４  シャフト
１１５  コンタクト
１２０  付属装置
１３０  エネルギーデバイス
【図１】
2012101077.tif 000003
【図１Ａ】
2012101077.tif 000004
【図２】
2012101077.tif 000005